(57)【要約】【課題】  本発明は、締付ネジや手指等を用いることなく、細かい作業が困難な場合であっても、簡単な操作でフィルタをフィルタ枠体に着脱することができるエアフィルタ取付装置及びエアフィルタを提供することを目的とする。【解決手段】  本発明のエアフィルタ取付装置は、一方の開口部の全周にフランジ部を備え、他方の開口部に一対のフランジ状の突起部を備えた四角形状のフィルタ枠体と、前記突起部を設けた開口部から前記フィルタ枠体内に装入されるフィルタと、このフィルタを前記フランジ部の方向または突起部の方向に弾性力により押圧して前記フィルタ枠体内に装着する押圧手段からなることを特徴とする。【選択図】      図１
2006305508.tif 000002
【特許請求の範囲】
【請求項１】
一方の開口部の全周にフランジ部を備え、他方の開口部に一対のフランジ状の突起部を備えた四角形状のフィルタ枠体と、前記突起部を設けた開口部から前記フィルタ枠体内に装入されるフィルタと、このフィルタを前記フランジ部の方向または突起部の方向に弾性力により押圧して前記フィルタ枠体内に装着する押圧手段からなることを特徴とするエアフィルタ取付装置。
【請求項２】
前記フィルタ枠体内のフランジ部側に前記フィルタを装着し、前記フィルタ枠体内の前記突起部側に、四角枠体からなる押さえ用部材を装着したことを特徴とする請求項１記載のエアフィルタ取付装置。
【請求項３】
前記押さえ用部材が、四角枠体内にプレフィルタ用濾材を備えたプレフィルタであることを特徴とする請求項２記載のエアフィルタ取付装置。
【請求項４】
前記フィルタと前記押さえ用部材の間にサブフィルタを装着したことを特徴とする請求項２または３に記載のエアフィルタ取付装置。
【請求項５】
前記押圧手段は、一端部に固定部と、この固定部に連なって、他端部を開放可能とした弾性変形する湾曲面を設けた板状体であることを特徴とする請求項１乃至４のいずれかに記載のエアフィルタ取付装置。
【請求項６】
前記フィルタのいずれか一方のフィルタ面の周囲の前記フランジ部または前記突起部に対応する部位に、少なくとも一対の対向する前記押圧手段を設けたことを特徴とする請求項１乃至５のいずれかに記載のエアフィルタ取付装置。
【請求項７】
前記フィルタ枠体のフランジ部の内側面または前記突起部の内側面に、少なくとも一対の対向する前記押圧手段を設けたことを特徴とする請求項１乃至５のいずれかに記載のエアフィルタ取付装置。
【請求項８】
前記押さえ用部材のいずれか一方の面の前記フランジ部または前記突起部に対応する部位に、少なくとも一対の対向する前記押圧手段を設けたことを特徴とする請求項２乃至７のいずれかに記載のエアフィルタ取付装置。
【請求項９】
前記サブフィルタのいずれか一方のフィルタ面の周囲の前記フランジ部または前記突起部に対応する部位に、少なくとも一対の対向する前記押圧手段を設けたことを特徴とする請求項４乃至８のいずれかに記載のエアフィルタ取付装置。
【請求項１０】
前記フィルタに布製の取っ手を設けたことを特徴とする請求項１乃至９のいずれかに記載のエアフィルタ取付装置。
【請求項１１】
前記押さえ用部材に布製の取っ手を設けたことを特徴とする請求項２乃至９のいずれかに記載のエアフィルタ取付装置。
【請求項１２】
前記サブフィルタに布製の取っ手を設けたことを特徴とする請求項４乃至９のいずれかに記載のエアフィルタ取付装置。
【請求項１３】
一方の開口部の全周にフランジ部を備え、他方の開口部に一対のフランジ状の突起部を備えた四角形状のフィルタ枠と、このフィルタ枠のフランジ部に接着されたフィルタパックと、前記突起部を設けた開口部から前記フィルタ枠内に装入されるサブフィルタと、このサブフィルタを弾性力により前記フィルタパックの方向に押圧してフィルタ枠内に装着する押圧手段からなることを特徴とするエアフィルタ。
【発明の詳細な説明】
【技術分野】
【０００１】
本発明は、ビル空調、工場空調、病院、ガス処理施設等に設けるエアフィルタ取付装置またはエアフィルタに関する。
【背景技術】
【０００２】
従来、ビル空調、工場空調、病院、ガス処理施設等に設けられるエアフィルタ取付装置は、取付フレーム等のフィルタ枠体内にフィルタ等を装着する構成となっている。例えば、図９に示すように、エアフィルタ取付装置１３は、四角枠状の周壁部１４ｂの一方の開口部に、全周に亘ってフランジ部１４ａを設け、フランジ部１４ａの四隅から周壁部１４ｂに沿って、四本の断面Ｌ字状のフィルタ受け用支柱１４ｃを設けた取付フレーム１４を用いている。この取付フレーム１４に、フィルタ１５とプレフィルタ１６とを、フィルタ受け用支柱１４ｃ側から収容する。そして、フィルタ受け用支柱１４ｃに締付用金具１７を設け、この締付用金具１７と締付ネジ１８を取付フレーム１４に収容されたプレフィルタ１６に取り付け、プレフィルタ１６とフィルタ１５を押圧して、フィルタ１５をフランジ部１４ａに圧着させて、固定した構成となっている。
【０００３】
しかしながら、例えば、ＰＣＢ等の毒性のあるガスを処理する施設にエアフィルタ取付装置を取り付ける場合、悪影響のあるガスから人体を保護するため、防護服や防護手袋等を着用して、エアフィルタ取付装置内のエアフィルタ取付装置を交換する必要がある。防護服や防護手袋等を着用していると、作業性が悪く、締付ネジ等の比較的小さい部品を用いた作業が困難であるという問題があった。このように作業性が悪いと、取付フレーム１４のフランジ部１４ａにフィルタ１５を圧着させることができず、空気漏れ等を生じるおそれがあるという問題があった。
【０００４】
締付ネジ等の小さい部品を用いる必要がないように、例えば、特許文献１には、図１０に示すように、フィルタ枠体１９内に装入されたエアフィルタ取付装置本体２０を、フィルタ枠体１９を設けた開口２４の周囲の壁面２５に、弾性押圧部材２３で圧着する構成のエアフィルタ取付装置２６が開示されている。フィルタ枠体１９は、その上方の側壁部に、エアフィルタ取付装置本体２０を装入する開口部２１が形成されており、この開口部２１の反対側の側壁部に、フィルタ枠体１９内に装着されたエアフィルタ取付装置本体２０を外方に押し出す押出し用孔２２が穿孔されている。
【特許文献１】実開平７−３７３１３号公報
【発明の開示】
【発明が解決しようとする課題】
【０００５】
しかしながら、特許文献１に開示されたエアフィルタ取付装置２６は、既に、一つのエアフィルタ取付装置本体２０をフィルタ枠体１９内に装着した後、プレフィルタ等の他のフィルタをフィルタ枠体１９内に装着するためには、弾性押圧部材２３がエアフィルタ取付装置本体２０を押圧する方向と直交する方向から、他のフィルタをスライドさせて弾性押圧部材２３を弾性変形させなければならない。このため、既に、エアフィルタ取付装置本体２０にフィルタ枠体１９を装着した後、他のフィルタを重ね合わせてフィルタ枠体１９内に装着させることは、難しいという問題があった。また、エアフィルタ取付装置本体２０をフィルタ枠体１９内に装着した後は、開口部２１と対向する側壁部に設けた押出し用孔２２から手指または棒等を挿入して、エアフィルタ取付装置本体２０をフィルタ枠体１９から外方へ突き出さなければならず、作業性の悪い防護服や防護手袋を着用している状態では、このような作業が困難であるという問題が残っている。
そこで、本発明は、締付ネジや手指等を用いることなく、細かい作業が困難な場合であっても、簡単な操作でフィルタをフィルタ枠体に着脱することができるエアフィルタ取付装置を提供することを目的とする。
【課題を解決するための手段】
【０００６】
本発明のエアフィルタ取付装置は、前記目的を達成すべく、請求項１に記載の通り、一方の開口部の全周にフランジ部を備え、他方の開口部に一対のフランジ状の突起部を備えた四角形状のフィルタ枠体と、前記突起部を設けた開口部から前記フィルタ枠体内に装入されるフィルタと、このフィルタを前記フランジ部の方向または突起部の方向に弾性力により押圧して前記フィルタ枠体内に装着する押圧手段からなることを特徴とする。
また、請求項２記載のエアフィルタ取付装置は、請求項１記載のエアフィルタ取付装置において、前記フィルタ枠体内のフランジ部側に前記フィルタを装着し、前記フィルタ枠体内の前記突起部側に、四角枠体からなる押さえ用部材を装着したことを特徴とする。
また、請求項３記載のエアフィルタ取付装置は、請求項２記載のエアフィルタ取付装置において、前記押さえ用部材が、四角枠体内にプレフィルタ用濾材を備えたプレフィルタであることを特徴とする。
また、請求項４記載のエアフィルタ取付装置は、請求項２または３記載のエアフィルタ取付装置において、前記フィルタと前記押さえ用部材の間にサブフィルタを装着したことを特徴とする。
また、請求項５記載のエアフィルタ取付装置は、請求項１乃至４のいずれかに記載のエアフィルタ取付装置において、前記押圧手段は、一端部に固定部と、この固定部に連なって、他端部を開放可能とした弾性変形する湾曲面を設けた板状体であることを特徴とする。
また、請求項６記載のエアフィルタ取付装置は、請求項１乃至５のいずれかに記載のエアフィルタ取付装置において、前記フィルタのいずれか一方のフィルタ面の周囲の前記フランジ部または前記突起部に対応する部位に、少なくとも一対の対向する前記押圧手段を設けたことを特徴とする。
また、請求項７記載のエアフィルタ取付装置は、請求項１乃至５のいずれかに記載のエアフィルタ取付装置において、前記フィルタ枠体のフランジ部の内側面または前記突起部の内側面に、少なくとも一対の対向する前記押圧手段を設けたことを特徴とする。
また、請求項８記載のエアフィルタ取付装置は、請求項２乃至７のいずれかに記載のエアフィルタ取付装置において、前記押さえ用部材のいずれか一方の面の前記フランジ部または前記突起部に対応する部位に、少なくとも一対の対向する前記押圧手段を設けたことを特徴とする。
また、請求項９記載のエアフィルタ取付装置は、請求項４乃至８のいずれかに記載のエアフィルタ取付装置において、前記サブフィルタのいずれか一方のフィルタ面の周囲の前記フランジ部または前記突起部に対応する部位に、少なくとも一対の対向する前記押圧手段を設けたことを特徴とする。
また、請求項１０記載のエアフィルタ取付装置は、請求項１乃至９のいずれかに記載のエアフィルタ取付装置において、前記フィルタに布製の取っ手を設けたことを特徴とする。
また、請求項１１記載のエアフィルタ取付装置は、請求項２乃至９のいずれかに記載のエアフィルタ取付装置において、前記フィルタに布製の取っ手を設けたことを特徴とする。
また、請求項１２記載のエアフィルタ取付装置は、請求項４乃至９のいずれかに記載のエアフィルタ取付装置において、前記フィルタに布製の取っ手を設けたことを特徴とする。
本発明のエアフィルタは、前記目的を達成すべく、請求項１３に記載の通り、一方の開口部の全周にフランジ部を備え、他方の開口部に一対のフランジ状の突起部を備えた四角形状のフィルタ枠と、このフィルタ枠のフランジ部に接着されたフィルタパックと、前記突起部を設けた開口部から前記フィルタ枠内に装入されるサブフィルタと、このサブフィルタを弾性力により前記フィルタパックの方向に押圧してフィルタ枠内に装着する押圧手段からなることを特徴とする。
【発明の効果】
【０００７】
本発明のエアフィルタ取付装置は、締付ネジ、手指や棒等の細かい部材を用いることなく、押圧手段による弾性力によって、フィルタをフィルタ枠体のフランジ部の方向または突起部方向に押圧して、装着させることができる。
また、エアフィルタ取付装置に四角枠状の押さえ用部材を設けた場合は、押圧手段によって加えられた弾性力が、四角枠状の押さえ用部材によってフィルタ面の周囲に略均等に加えられて、フィルタをフィルタ枠体のフランジ部または押さえ用部材を介して突起部に押圧することができる。
また、本発明のエアフィルタ取付装置のフィルタ、押さえ用部材またはサブフィルタのうちいずれか一つの、一方の面の周囲のフィルタ枠体のフランジ部または突起部に対応する部位に、少なくとも一対の対向する押圧手段を設けた場合は、押圧手段の弾性力が加わる方向と略水平の方向から押圧手段を押圧して、押圧手段を簡単に弾性変形させることができる。このため、フィルタと押さえ用部材、フィルタと押さえ用部材の四角枠体内にプレフィルタ用濾材を備えたプレフィルタ、フィルタとサブフィルタと押さえ用部材、フィルタとサブフィルタと押さえ用部材の四角枠体内にプレフィルタ用濾材を備えたプレフィルタのように、複数の部材を重ね合わせてフィルタ枠体内に装着する場合であっても、簡単に着脱することができる。前記フィルタ枠体のフランジ部の内側面または前記突起部の内側面に、少なくとも一対の対向する前記押圧手段を設けた場合も、押圧手段を簡単に弾性変形させやすいため、フィルタ等の複数の部材を重ね合わせも、簡単にフィルタ枠体内に着脱することができる。
また、本発明のエアフィルタ取付装置のフィルタまたは押さえ用部材に布製の取っ手を設けた場合は、防護服や防護手袋等を着用している場合であっても、フィルタや押さえ用部材自体を把持するのではなく、取っ手を把持でき、容易にフィルタ枠体にフィルタや、押さえ用部材を装着することができる。また、フィルタ等に設ける取っ手を布製とした場合は、フィルタ枠体内に装着した際に、取っ手を折り畳んで複数の部材を重ね合わせてフィルタ枠体内に装着することができる。
また、本発明のエアフィルタは、押圧手段による弾性力によって、サブフィルタをフィルタパックに密着させてフィルタ枠内に装着することができるため、フィルタパックとサブフィルタの隙間からリークが生じるのを防止することができる。
【発明を実施するための最良の形態】
【０００８】
次に、本発明のエアフィルタ取付装置の実施の形態を説明するが、本発明は、以下に示す実施の形態に限られるものではない、図１は、本発明のエアフィルタ取付装置の一実施の形態を示す。図１に示すように、本実施の形態において、エアフィルタ取付装置１は、フィルタ枠体２内に、フィルタ３と、押さえ用部材を構成する四角枠体５ａ内にプレフィルタ用濾材５ｂを備えたプレフィルタ５を装着している。
本実施の形態において、フィルタ枠体２は、耐食性を考慮して、ステンレス製の外形寸法が縦６２５ｍｍ×横６２５ｍｍ×厚さ１４０ｍｍのものを用いている。
フィルタ枠体２は、一方の開口部２ａの全周にフランジ部２ｂが形成され、他方の開口部２ｃに一対のフランジ状の突起部２ｄ，２ｄが形成されている。
また、フィルタ３は、帯電化したポリプロピレン製のメルトブロー不織布にポリエステル繊維主体の不織布を重ね合わせて複合化した濾材を、ジグザグ状に折り畳み、濾材の間隔を図示を省略したセパレータやホットメルト樹脂からなるリボン材等の間隔保持材で保持したフィルタパック３ａを、紙製の枠体３ｂ内に収容した構成となっている。フィルタ３としては、中性能フィルタを用いることが好ましい。枠体３ｂに紙製のものを用いたのは、使用後に焼却することができるためである。フィルタ３のフランジ部２ｂと当接する面（下流側となる面）の周囲には、シール材としてガスケット３ｃを設けている。フィルタ３は、その外形寸法が縦６１０ｍｍ×横６１０ｍｍ×厚さ９５ｍｍのものを用いている。
押さえ用部材は、耐食性を考慮してステンレス製の四角枠体５ａに、ポリエステル繊維製のフェルトからなるプレフィルタ用濾材５ｂを備えたプレフィルタ５であり、その外形寸法が縦６１０ｍｍ×横６１０ｍｍ×厚さ２０ｍｍのものを用いている。
フィルタ枠体２のフランジ部２ｂ側にフィルタ３が装着され、フィルタ枠体２の突起部２ｄ，２ｄ側にプレフィルタ５が装着されている。また、押圧手段４は、四角枠体５ａの突起部２ｄ，２ｄに対向する部位に設けられている。
【０００９】
図１及び図２のＡ部分拡大図に示すように、エアフィルタ取付装置１に設ける押圧手段４は、一端部にネジ等によって、フィルタ枠体２やフィルタ３に固定可能とする固定部４ａを備え、この固定部４ａに連なって一方向に突出する湾曲面４ｂを備えた板状体のものを用いている。この湾曲面４ｂの他端部は、他部材に固定されない開放端部となっている。押圧手段４は、例えば、バネ鋼からなり、湾曲面４ｂの弾性力によってフィルタ３を押圧するものを用いることができる。押圧手段４は、プレフィルタ５を構成する四角枠体５ａの上流側の突起部２ｄ，２ｄに対向する鉛直方向上下の枠部の略中央部位に、対向するようにそれぞれ一つずつ、一対設けられている。
【００１０】
図２に示すように、エアフィルタ取付装置１は、傾けた状態でフィルタ枠体２の開口部２ｃから、フィルタ３の一端部をフィルタ枠体２内に装入させ、次いで、フィルタ３の他端部をフィルタ枠体２内に装入させる。次に、プレフィルタ５は、押圧手段４が設けられた面を突起部２ｄ，２ｄの内側面に対向するようにして、フィルタ枠体２の開口部２ｃから、突起部２ｄの内側面に押圧手段４の湾曲面４ｂを押しつけて弾性変形させつつ、プレフィルタ５の一端部をフィルタ枠体２内に装入させる。次いで、プレフィルタ５の他端部を、突起部２ｄの内側面に押圧手段４の湾曲面４ｂを押しつけて弾性変形させつつ、フィルタ枠体２内に装入させる。プレフィルタ５をフィルタ枠体２に装入した後、弾性変形していた押圧手段４の湾曲面４ｂが元の形状に戻り、押圧手段４の弾性力によって、プレフィルタ５を介して、フィルタ３のガスケット３ｃがフランジ部２ｂに圧着される。
【００１１】
次に、本発明のエアフィルタ取付装置の他の実施の形態を図３及び図４に基づき説明する。図３及び図４に示すように、本実施の形態において、エアフィルタ取付装置１０は、押圧手段４を設けたフィルタ枠体２内に、フィルタ３を装着している。フィルタ枠体２は、その外形寸法が縦６２５ｍｍ×横６２５ｍｍ×厚さ１２０ｍｍのステンレス製のものを用いている。フィルタ３は、帯電化したポリプロピレン製のメルトブロー不織布にポリエステル繊維主体の不織布を重ね合わせて複合化した濾材を、ジグザグ状に折り畳み、濾材の間隔を図示を省略したセパレータやホットメルト樹脂からなるリボン材等の間隔保持材で保持したフィルタパック３ａを、紙製の枠体３ｂ内に収容した構成となっている。このフィルタ３は、その外形寸法が縦６１０ｍｍ×横６１０ｍｍ×厚さ９５ｍｍのものを用いている。フィルタ３は、フィルタ３のフランジ部２ｂと当接する面（下流側となる面）周囲に、シール材としてガスケット３ｃを設けている。フィルタ３としては、例えば、中性能フィルタを用いることが好ましい。
また、押圧手段４は、フィルタ枠体２の一対の突起部２ｄ，２ｄの両方の内側面の略中央の部位に、突起部２ｄ，２ｄから突出しないように、一対設けられている。
フィルタ３は、傾けた状態で、その一端部を突起部２ｄが形成された開口部２ｃからフィルタ枠体２内に装入させ、装入させたフィルタ３で押圧手段４の湾曲面４ｂを押圧して押圧手段４を弾性変形させつつ、フィルタ３の他端部をフィルタ枠体２内に装入させ、フィルタ３をフィルタ枠体２内に装着させている。押圧手段４によって、フィルタ３は、フランジ部２ｂの方向に押圧されて、フィルタ３のガスケット３ｃがフランジ部２ｄに圧着される。
図３及び図４に示す実施の形態に限らず、例えば、押圧手段４は、フィルタ枠体２のフランジ部２ｂの内側面に、開口部２ｃを挟んで対向するように一対設けてもよい。押圧手段４をフランジ部２ｂに設けた場合は、押圧手段４によって、フランジ部２ｄとフィルタ３の間に隙間が形成されないように、フランジ部２ｂの押圧手段を４を設けた部分以外の部分に、クロロプレン等のガスケットを設けてもよい。
【００１２】
次に、本発明のエアフィルタ取付装置の他の実施の形態を図５に基づき説明する。図５に示すように、本実施の形態において、エアフィルタ取付装置に装着するフィルタ３には、紙製の枠体３ｂの孔部に、両端部を挿入させて固定した布製の取っ手６を設けている。このように、取っ手６が布製のものであると、取っ手６が、取っ手６を固定する孔部内に折り込まれて、取っ手６が邪魔になることなく、プレフィルタ５等の他部材とフィルタ３を重ね合わせてフィルタ枠体２内に装着することができるため、好ましい。尚、布製の取っ手６は、例えば、フィルタ３のフィルタ面上で折り畳まれるようにしてもよい。また、布製の取っ手６は、フィルタ３を破棄する際に、紙製の枠体３ａとともに、取っ手６も焼却できるため、好ましい。このように、フィルタ３に取っ手６が設けられていると、防護手袋等を着用した状態でも簡単に、フィルタ３や押さえ用部材５を交換することができる。
フィルタ３や押さえ用部材５に設ける取っ手６は、布製のものの他に、金属製のものを用いることができる。金属製の取っ手６を用いる場合は、図６（ａ）に示すように、取っ手６は、例えば、中央部に人手で把持が可能となるように突出させた把持部６ａと、把持部６ａの両端部に、フィルタ３等に取付可能となる取付部６ｂ，６ｃとから構成する。そして、図６（ｂ）に示すように、フィルタ３の枠体３ｂに、取っ手６の取付部６ｂ，６ｃを挿入可能とする差込用孔３ｄ，３ｄを穿孔し、取っ手６の取付部６ｂ，６ｃを差込用孔３ｄ，３ｄに挿入して、取っ手６をフィルタ３に着脱自在に設けるようにすることが好ましい。着脱自在な取っ手６をフィルタ３や押さえ用部材５に設けた場合は、フィルタや押さえ用部材をフィルタ枠体２内に装入した順に取っ手６を取り外して、フィルタと押さえ用部材を重ね合わせることができるため好ましい。
【００１３】
次に、本発明のエアフィルタ取付装置の他の実施の形態について説明する。図７に示すように、本実施の形態において、エアフィルタ取付装置１２は、フィルタ枠体２内に、より高い清浄度が要求される場合を考慮してフィルタ３としてＨＥＰＡフィルタと、押さえ用部材９と、フィルタ３と押さえ用部材９との間にサブフィルタ７を装着している。尚、本実施の形態において、押さえ用部材９は、四角枠体内にプレフィルタ用濾材を備えていないものを用いている。
本実施の形態において、フィルタ枠体２は、耐食性を考慮してステンレス製の外形寸法が縦６１０ｍｍ×横６１０ｍｍ×厚さ４３０ｍｍのものを用いている。ＨＥＰＡフィルタであるフィルタ３は、ステンレス製のフレーム中にガラス繊維製のＨＥＰＡフィルタ用濾材からなるフィルタパックを装着したものであり、その外形寸法の縦横の大きさがフィルタ枠体２内に装入可能となるものであり、厚さ２９０ｍｍのものを用いている。また、サブフィルタ７として、その外形寸法が縦５９４ｍｍ×横５９４ｍｍ×厚さ９５ｍｍの中性能フィルタを用いている。このサブフィルタ７は、紙製の枠体内に、帯電化したポリプロピレン製のメルトブロー不織布にポリエステル繊維主体の不織布を重ね合わせて複合化した濾材からなるフィルタパックを収容したものを用いている。押さえ用部材９は、耐食性を考慮してステンレス製の四角枠体からなるものであり、その外形寸法が縦５９４ｍｍ×横５９４ｍｍ×厚さ２０ｍｍのものを用いている。
押圧手段４は、押さえ用部材９を構成する四角枠体の一方の面の、サブフィルタ７とフィルタ３を介して鉛直方向の上下のフランジ部２ｂに対応する部位に、対向するように一対設けられている。本実施の形態においては、押圧手段４は、押さえ用部材９の下流側となる面の両側枠部の中央の部位に、対向するようにそれぞれ一つずつ、一対設けられている。
また、サブフィルタ７、押さえ用部材９には、着脱自在な取っ手８を設けている。
サブフィルタ７は、取っ手８を把持して、傾けた状態でフィルタ枠体２の開口部２ｃから、サブフィルタ７の一端部をフィルタ枠体２内に装入され、次いで、サブフィルタ７の他端部をフィルタ枠体２内に装入されて、フィルタ３に重ね合わされる。そして、サブフィルタ７に設けられた取っ手８を取り外す。
次に、押さえ用部材９は、押圧手段４が設けられた一方の面を下流側にして、取っ手８を把持して、フィルタ枠体２の開口部２ｃから、その一端部をフィルタ枠体２内に装入され、押圧手段４の弾性力で、サブフィルタ７とフィルタ３をフランジ部２ｂの方向に押圧しつつ、押さえ用部材９の他端部をフィルタ枠体２内に装入される。そして、押さえ用部材９に設けられていた取っ手８を取り外す。押さえ用部材９をフィルタ枠体２に装入した後、弾性変形していた押圧手段４の湾曲面４ｂが元の形状に戻り、押圧手段４の弾性力によって、サブフィルタ７を介してフィルタ３のガスケット３ｃがフランジ部２ｂに圧着される。また、プレフィルタ５が突起部２ｄに圧着されて、フィルタ枠体２内にフィルタ３、サブフィルタ７、押さえ用部材９が装着される。
【００１４】
上述のように、本発明の実施の態様として、フィルタ枠体内にフィルタや押さえ用部材を装着したエアフィルタ取付装置について説明したが、例えば、エアフィルタを構成するフィルタ枠内に、サブフィルタと押さえ用部材を、押圧手段によって装着してもよい。
図８に示すように、エアフィルタ３１は、一方の開口部３２ａの全周に設けられたフランジ部３２ｂを備え、他方の開口部３２ｃに一対のフランジ状の突起部３２ｄを備えたフィルタ枠３２と、このフィルタ枠３２のフランジ部３２ｂに接着されたＨＥＰＡフィルタ用フィルタパック３０と、このフィルタ枠３２内に、押圧手段４によって装着された押さえ用部材９と、サブフィルタ７とから構成されている。
本実施の形態において、フィルタ枠３２は、耐食性を考慮してステンレス製の外形寸法が縦６１０ｍｍ×横６１０ｍｍ×厚さ４３０ｍｍのものを用いている。ＨＥＰＡフィルタ用フィルタパック３０は、ガラス繊維製のＨＥＰＡフィルタ用濾材からなり、その厚さが２９０ｍｍのものを用いている。また、サブフィルタ７として、その外形寸法が縦５９４ｍｍ×横５９４ｍｍ×厚さ９５ｍｍの中性能フィルタを用いている。このサブフィルタ７は、紙製の枠体内に、帯電化したポリプロピレン製のメルトブロー不織布にポリエステル繊維主体の不織布を重ね合わせて複合化した濾材からなるフィルタパックを収容したものを用いている。押さえ用部材９は、耐食性を考慮してステンレス製の四角枠体からなるものであり、その外形寸法が縦５９４ｍｍ×横５９４ｍｍ×厚さ２０ｍｍのものを用いている。
押圧手段４は、押さえ用部材９を構成する四角枠体の一方の面の、鉛直方向の上下のフランジ部２ｂに対応する部位に、対向するように一対設けられている。本実施の形態においては、押圧手段４は、押さえ用部材９の下流側となる面の両側枠部の中央の部位に、対向するようにそれぞれ一つずつ、一対設けられている。
また、サブフィルタ７、押さえ用部材９には、着脱自在な取っ手８を設けている。
サブフィルタ７は、取っ手８を把持して、傾けた状態でフィルタ枠体３２の開口部３２ｃから、サブフィルタ７の一端部をフィルタ枠体３２内に装入され、次いで、サブフィルタ７の他端部をフィルタ枠体３２内に装入されて、ＨＥＰＡフィルタ用フィルタパック３０に重ね合わされる。そして、サブフィルタ７に設けられた取っ手８を取り外す。
次に、押さえ用部材９は、押圧手段４が設けられた一方の面を下流側にして、取っ手８を把持して、フィルタ枠３２の開口部３２ｃから、その一端部をフィルタ枠３２内に装入し、押圧手段４の弾性力で、サブフィルタ７をＨＥＰＡフィルタ用フィルタパック３０の方向に押圧しつつ、押さえ用部材９の他端部がフィルタ枠３２内に装入する。そして、押さえ用部材９に設けられていた取っ手８を取り外す。押さえ用部材９をフィルタ枠３２に装入した後、弾性変形していた押圧手段４の湾曲面４ｂが元の形状に戻り、押圧手段４の弾性力によって、サブフィルタ７がＨＥＰＡフィルタ用フィルタパック３０に圧着される。このように、押圧手段４によって、サブフィルタ７がＨＥＰＡフィルタ用フィルタパック３０に圧着されるとＨＥＰＡフィルタ用フィルタパック３０とサブフィルタ７の隙間からリークが生じるのを防止することができる。
また、例えば、エアフィルタは、一方の開口部の全周にフランジ部を備え、他方の開口部に一対のフランジ状の突起部を備え、前記フランジ部にフィルタパックを接着させたフィルタ枠内に、サブフィルタを押圧手段によって、装着するものであってもよい。この場合、押圧手段を前記突起部の内側面に設け、この押圧手段によって、サブフィルタを前記フィルタパックの方向に押圧して、フィルタ枠内にサブフィルタを装着するようにすることが好ましい。
【００１５】
前述した実施の形態に限らず、本発明のエアフィルタ取付装置に設ける押圧手段は、フィルタ、押さえ用部材、押さえ用部材を構成する四角枠体にプレフィルタ用濾材を備えたプレフィルタ、または、サブフィルタのうちいずれか一つの少なくとも一方の面の周囲のフィルタ枠体のフランジ部または突起部に対応する部位に、対向するように少なくとも一対設けることが好ましい。押圧手段は、フィルタ、押さえ用部材、プレフィルタ、または、サブフィルタのうちいずれか一つの少なくとも一方の面の周囲の他部材を介してフィルタ枠体のフランジ部または突起部に対応する部位に、少なくとも一対設けてもよい。押圧手段をフィルタと押さえ用部材等の２つに設ける場合は、押圧手段同士が相対しないように設けることが好ましい。尚、フィルタ枠体内に流入させた空気のリークを生じないように、フィルタ、サブフィルタまたはプレフィルタの間には、押圧手段を設けないようにした方がより好ましい。前述の実施の形態においては、フィルタ枠体や押さえ用部材の四角枠体として、ステンレス製のものを用いたが、ステンレスであるＳＵＳ製のものに限らず、ＳＰＣＣ製、ＳＧＣＣ製、ガルバニウム製、アルミニウム製等のものを用いてもよい。また、中性能フィルタに使用する濾材としては、帯電化したポリプロピレン製のメルトブロー不織布にポリエステル繊維主体の不織布を重ね合わせて複合化した濾材を用いたが、ガラス繊維製、ＰＴＦＥ繊維製等のフェルト状の不織布、または、フェルト状のものの他に、膜状、フィルム状、シート状のものを用いるようにしてもよい。
また、ＨＥＰＡフィルタに使用する濾材としては、ガラス繊維の湿式不織布や、帯電化樹脂繊維の乾式不織布、ガラス繊維製ペーパー、ポリプロピレン系繊維不織布、ポリエステル系繊維不織布、の複合化帯電不織布、ＰＴＦＥ製のフィルム状シート等を用いることができる。
また、プレフィルタ用濾材としては、ガラス繊維製のフェルト、ポリエステル樹脂等の合成繊維製フェルト等を用いることができる。
【図面の簡単な説明】
【００１６】
【図１】本発明のエアフィルタ取付装置の一実施の形態を説明する分解斜視図
【図２】本発明のエアフィルタ取付装置の一実施の形態を説明する断面図及び部分拡大図
【図３】本発明のエアフィルタ取付装置の他の実施の形態を説明する分解斜視図
【図４】本発明のエアフィルタ取付装置の他の実施の形態を説明する断面図
【図５】（ａ）（ｂ）フィルタに取っ手を設けた状態を説明する図
【図６】（ａ）（ｂ）フィルタに取っ手を設けた状態を説明する図
【図７】本発明のエアフィルタ取付装置の他の実施の形態を説明する断面図
【図８】本発明のエアフィルタの実施の形態を説明する断面図
【図９】従来のエアフィルタ取付装置を説明する分解斜視図
【図１０】従来のエアフィルタ取付装置を説明する断面図
【符号の説明】
【００１７】
１        エアフィルタ取付装置
２        フィルタ枠体
２ａ      開口部
２ｂ      フランジ部
２ｃ      開口部
２ｄ      突起部
３        フィルタ
３ａ      濾材
３ｂ      枠体
３ｃ      ガスケット
３ｄ      差込用孔
４        押圧手段
４ａ      固定部
４ｂ      湾曲部
５        プレフィルタ
５ａ      四角枠体
５ｂ      プレフィルタ用濾材
６        取っ手
７        サブフィルタ
８        取っ手
８ａ      把持部
８ｂ      取付部
８ｃ      取付部
９        押さえ用部材
１０      エアフィルタ取付装置
１１      エアフィルタ取付装置
１２      エアフィルタ取付装置
１３      エアフィルタ取付装置
１４      取付フレーム
１４ａ    フランジ部
１４ｂ    周壁部
１４ｃ    フィルタ受け用支柱
１５      フィルタ
１６      プレフィルタ
１７      締付金具
１８      締付ネジ
１９      フィルタ枠体
２０      エアフィルタ取付装置本体
２１      開口部
２２      押出し用孔
２３      弾性押圧部材
２４      周壁
２５      壁面
２６      エアフィルタ取付装置
３０      ＨＥＰＡフィルタ用フィルタパック
３１      エアフィルタ
３２      フィルタ枠
３２ａ    開口部
３２ｂ    フランジ部
３２ｃ    開口部
３２ｄ    突起部
【図１】
2006305508.tif 000003
【図２】
2006305508.tif 000004
【図３】
2006305508.tif 000005
【図４】
2006305508.tif 000006
【図５】
2006305508.tif 000007
【図６】
2006305508.tif 000008
【図７】
2006305508.tif 000009
【図８】
2006305508.tif 000010
【図９】
2006305508.tif 000011
【図１０】
2006305508.tif 000012